(57)【要約】【課題】ミラーキャビネットの照明部下方、裏側のデッドスペースを有効に利用し、高さのある化粧道具、例えば、ヘアケア用のスプレー等の収納性に優れるミラーキャビネットの収納構造を提供する。【解決手段】薄板状の合成樹脂を一体的に屈曲形成してなるミラーキャビネットであって、該ミラーキャビネットは、照明部４と、その下方に並設される収納棚部１とを備えてなり、該照明部４は照明装置５を内設するとともに、該照明部４と収納棚部１とを仕切る天板１４には上記照明部４の裏面空間に通じる貫通孔６１を設けてなるミラーキャビネットの収納構造。【選択図】図１
2009195529.tif 000002
【特許請求の範囲】
【請求項１】
薄板状の合成樹脂を一体的に屈曲形成してなるミラーキャビネットであって、該ミラーキャビネットは、照明部と、その下方に並設される収納棚部とを備えてなり、該照明部は照明装置を内設するとともに、該照明部と収納棚部とを仕切る天板に上記照明部の裏面空間に通じる貫通孔を設けてなるミラーキャビネットの収納構造。
【請求項２】
上記照明部の裏面空間に通じる貫通孔を弾性閉止する蓋体が取り付けられた請求項１に記載のミラーキャビネットの収納構造。
【請求項３】
上記貫通孔に有底筒体を装着させ、上記照明部の裏面空間に収納スペースが新たに設けられた請求項１に記載のミラーキャビネットの収納構造。
【請求項４】
上記有底筒体の開口部に鍔部を形成した請求項３に記載のミラーキャビネットの収納構造。
【発明の詳細な説明】
【技術分野】
【０００１】
本願発明は、洗面化粧台に用いられるミラーキャビネットに関し、詳しくは、ミラーキャビネットの照明部下方に設けられる収納棚部の収納構造に関するものである。
【背景技術】
【０００２】
通常、洗面化粧台は洗面ボウルを備えた洗面キャビネットと、この洗面キャビネットの背面側上部に立設されるミラーキャビネットとからなり、このミラーキャビネットのうち、三面鏡タイプのものは、照明部下方の中央部に矩形状のセンターミラーを備え、左右にはサイドミラーを備えて構成されている。上記サイドミラーはセンターミラーの左右に回動自在に取り付けられ、使用者が所望の開度で、化粧や顔の手入れをすることができるようにされている。
【０００３】
上記センターミラー、左右のサイドミラーの背後は、収納空間とされ、化粧品や化粧道具等各種の化粧用品、歯ブラシや歯磨き等の洗面用具、マニキュア用品やひげ剃り用道具等の小物類、ヘアケア用のスプレー等を収納するスペースとして利用されている。
【０００４】
図８は、公知のミラーキャビネットＢを示す斜視図である。図８においては、上記センターミラーおよび左右のサイドミラーは図示しないが、右のサイドミラーの背後は三段に区分された右収納棚部１ａとされ、上記した種々の化粧用品や洗面用具等が収納される。同様にセンターミラーの背後は中央収納部２ａとされ、左サイドミラーの背後は左収納棚部３ａとされている。また、ミラーキャビネットＢの上部は照明部４ａとされ、内部には蛍光灯等の照明器具が内設されている。
【０００５】
一方、特開平１１−１６９２６９号公報には、複数の大きさの洗面化粧台に対して共通の棚台の使用を可能とし、化粧鏡の左右に棚台が設置されてなる洗面化粧台用棚付化粧鏡が開示されている。
【０００６】
すなわち、上記特許文献には、枠体の中央に化粧鏡が設置されると共に、その左右に棚台が設置されてなり、洗面ボウルの背面側上部に立設される枠体が、その高さ寸法と、棚台が設置される左右部の幅寸法とを所定寸法に形成されてなる一方、棚台は、前記所定の高さ寸法及び幅寸法に対応して形成されてなり、枠体の中央部の幅寸法と、この部分に設置される化粧鏡の幅寸法とを変更することにより、各種の大きさの洗面化粧台に対応可能とされた洗面化粧台用棚付化粧鏡が提案されている。
【０００７】
そして、その効果として、洗面化粧台の大きさが変化しても、枠体と中央の化粧鏡の大きさを変化させるだけで対応することができ、棚台は共通のものを使用することができ、よって棚台の製作のために、複数の金型を用意する必要がなく、大幅なコスト低減を図ることができると、その効果が述べられている。
【特許文献１】特開平１１−１６９２６９号公報
【発明の開示】
【発明が解決しようとする課題】
【０００８】
しかしながら、上記特許文献１に記載の洗面化粧台用棚付化粧鏡においては、棚台そのものについての収納性の検討は、特にされてはいない。本願発明は、上記背景技術に鑑みてなしたものであり、その目的は、十分な収納スペースを有するとともに、ミラーキャビネットの照明部下方、裏側のデッドスペースを有効に利用することができるとともに、高さのある化粧道具、例えば、ヘアケア用のスプレー等の収納性に優れるミラーキャビネットの収納構造を提供することである。
【課題を解決するための手段】
【０００９】
上記課題を解決するために、本願請求項１に記載の発明に係るミラーキャビネットの収納構造においては、薄板状の合成樹脂を一体的に屈曲形成してなるミラーキャビネットであって、該ミラーキャビネットは、照明部と、その下方に並設される収納棚部とを備えてなり、該照明部は照明装置を内設するとともに、該照明部と収納棚部とを仕切る天板には上記照明部の裏面空間に通じる貫通孔を設けたことを特徴とするものである。
【００１０】
本願請求項２に記載の発明は、上記請求項１に記載のミラーキャビネットの収納構造において、上記照明部の裏面空間に通じる貫通孔を弾性閉止する蓋体が取り付けられたことを特徴としている。
【００１１】
本願請求項３に記載の発明は、上記請求項１に記載のミラーキャビネットの収納構造において、上記貫通孔に有底筒体を装着させ、上記照明部の裏面空間に収納スペースが新たに設けたことを特徴としている。
【００１２】
本願請求項４に記載の発明は、上記請求項３に記載のミラーキャビネットの収納構造において、上記有底筒体の開口部に鍔部を形成したことを特徴としている。
【発明の効果】
【００１３】
本願請求項１記載の発明にかかるミラーキャビネットの収納構造においては、特に、該ミラーキャビネットは、照明部と、その下方に並設される収納棚部とを備えてなり、該照明部は照明装置を内設し、該照明部と収納棚部とを仕切る天板に上記照明部の裏面空間に通じる貫通孔が設けられているため、例えば、高さのあるヘアケア用のスプレーを、そのノズル部を上記貫通孔に嵌入し、ボディ部を収納棚部に収納することにより、照明部の裏面のデッドスペースを有効に利用することが可能となり、使い勝手よくスプレーを取出し、使用後は、仕舞い勝手よく右収納棚部に収めることができる。
【００１４】
本願請求項２記載の発明に係るミラーキャビネットの収納構造においては、特に、上記照明部の裏面空間に通じる貫通孔には、該貫通孔を弾性閉止する蓋体がヒンジ結合によって取り付けられているため、常時は閉じられてゴミ等が右収納棚部に侵入することを防止できる。また、使用時はバネ体の弾性力に抗して貫通孔を開とすることにより、ヘアケア用のスプレー等、高さのある収納物を仕舞い勝手よく右収納棚部に収めることができる。
【００１５】
本願請求項３記載の発明に係るミラーキャビネットの収納構造においては、特に、上記貫通孔に有底円筒体を装着させているから、上記照明部の裏面空間に収納スペースが新たに設けら収納棚部自体の収納スペースを大きくすることができるとともに、高さのある化粧用具や洗面用具を使い勝手よく収納することができる。
【００１６】
本願請求項４記載の発明に係るミラーキャビネットの収納構造においては、特に、上記有底筒体の開口部に鍔部を形成しているから、該有底筒体を貫通孔に装着したとき、貫通孔の周りに隙間が発生しない。
【００１７】
また、該有底筒体が鍔部を介して貫通孔に装着されるから、有底筒体が確りと固設され、該有底筒体内に化粧ビン等の頭部を嵌入する際に該頭部が有底筒体に衝突しても該有底筒体が容易には外れないのである。
【発明を実施するための最良の形態】
【００１８】
以下、本願発明にかかるミラーキャビネットの収納構造の実施形態について図面を参照して詳細に説明する。図１は、上記本願発明の主体を構成するミラーキャビネットＡを示す部分破断斜視図である。図２は、上記図１におけるＸ−Ｘ線に沿う断面の要部を示す説明図である。
【００１９】
図１、図２に示すように、上記ミラーキャビネットＡは、ポリスチロール等の熱可塑性合成樹脂の薄板を真空成形して形成され、照明部４の下方には、左収納棚部３と中央収納部２と右収納棚部１とが並んで一体的に設けられるとともに、照明部４には照明装置５が内設されている。また、照明部４と右収納棚部１とを仕切る右収納棚部１の天板１４には、照明部４の裏面空間に通じる円形貫通孔６１が設けられ、右収納棚部１は上段収納部１１、中段収納部１２、下段収納部１３とに区分されている。符号４１は、照明部４の前面を覆うカバー部を示す。
【００２０】
図３は、上記円形貫通孔６１にヘアケア用のスプレーＳのノズル部を嵌入しそのボディ部を上段収納部１１に収納した状態を示す説明図である。図３に示すように、背丈の高いスプレーＳでも、照明部４の裏面のデッドスペースを利用することにより、使い勝手よく右収納棚部１の上段収納部１１に収めることができる。
【００２１】
図４は、上記円形貫通孔６１を開閉自在に弾性的に覆う蓋体７を取り付けた状態を示す断面図である。図４に示すように、上記蓋体７は、平常は上記円形貫通孔６１が閉となるように付勢され、ゴミ等が右収納棚部１の上段収納部１１に侵入することを防ぐとともに、使用時は円形貫通孔６１が弾性的に開くようにバネ体を介してヒンジ結合（図示せず）されている。
【００２２】
図５は、上記円形貫通孔６１に有底円筒体８を貫通し嵌着させた状態を示す断面図である。図５に示すように、上記円形貫通孔６１に有底円筒体８を貫通させ、鍔部８１で天板１４の下面にしっかりと固定することにより、右収納棚部１の上段収納部１１自体の収納スペースを大きくすることができるとともに、背丈の高い化粧用具や洗面用具を使い勝手よく収納することができる。
【００２３】
図６は、平面視矩形の矩形貫通孔６２に有底角筒体９を嵌着する状態を示す説明図である。図６に示すように、上記矩形貫通孔６２に有底角筒体９を貫通させ、鍔部９１で天板１４の下面にしっかりと固定することにより、右収納棚部１の上段収納部１１自体の収納スペースを大きくすることができるとともに、高さのある化粧用具や洗面用具を使い勝手よく収納することができる。
【００２４】
図７は、図６に示す形態において、右収納棚部１の天板１４のみならず、中央収納部２の天板および左収納棚部３の天板にも上記矩形貫通孔６２を設け、有底角筒体９を嵌着させて照明部４の裏面空間全体のデッドスペースを有効に利用し、特に高さのある化粧用具や洗面用具の収納スペースを増した形態を模式的に示す説明図である。図７においては、中央収納部２の上部を仕切り、上段収納部２１を設け、各種の小物類を収納できるように配慮されている。
【００２５】
図７においては、右収納棚部１の天板１４、中央収納部２の天板および左収納棚部３の天板に、それぞれ矩形貫通孔６２を設けた形態を示しているが、これらを一体化させ、細長い矩形貫通孔６２とし、横長の有底角筒体（図示せず）を貫通させてもよい。このように本願発明に係るミラーキャビネットの収納構造は設計変更自在であり、特許請求の範囲を逸脱しない限り、本願発明の技術的範囲に属する。
【図面の簡単な説明】
【００２６】
【図１】本願発明の主体を構成するミラーキャビネットを示す部分破断斜視図。
【図２】上記図１におけるＸ−Ｘ線に沿う断面の要部を示す説明図。
【図３】円形貫通孔にヘアケア用のスプレーのノズル部を嵌入しそのボディ部を上段収納部に収納した状態を示す説明図。
【図４】円形貫通孔を開閉自在に弾性的に覆う蓋体を取り付けた状態を示す断面図。
【図５】円形貫通孔に有底円筒体を貫通し嵌着させた状態を示す断面図。
【図６】矩形貫通孔に有底角筒体を嵌着する状態を示す説明図。
【図７】右収納棚部、中央収納部および左収納棚部の各々の天板に矩形貫通孔を設け、各個に有底角筒体を嵌着させた形態を模式的に示す説明図。
【図８】公知のミラーキャビネットを示す斜視図。
【符号の説明】
【００２７】
Ａ      本願発明の主体を構成するミラーキャビネット
Ｂ      公知のミラーキャビネット
Ｓ      スプレー
１      右収納棚部
１１    上段収納部
１２    中段収納部
１３    下段収納部
１４    天板
２      中央収納部
２１    上段収納部
３      左収納棚部
４      照明部
４１    カバー部
５      照明装置
６１    円形貫通孔
６２    矩形貫通孔
７      蓋体
８      有底円筒体
８１    鍔部
９      有底角筒体
９１    鍔部
１ａ    公知のミラーキャビネットにおける右収納棚部
２ａ    公知のミラーキャビネットにおける中央収納部
３ａ    公知のミラーキャビネットにおける左収納棚部
４ａ    公知のミラーキャビネットにおける照明部
【図１】
2009195529.tif 000003
【図２】
2009195529.tif 000004
【図３】
2009195529.tif 000005
【図４】
2009195529.tif 000006
【図５】
2009195529.tif 000007
【図６】
2009195529.tif 000008
【図７】
2009195529.tif 000009
【図８】
2009195529.tif 000010